(57)【特許請求の範囲】
【請求項１】
装置本体を構成する複数の筐体の位置関係に応じて装置本体の形態を複数のスタイルに変更可能な携帯端末装置であって、
装置本体が所定のスタイルに変更された場合に、そのスタイルに対応付けられているスタイル対応機能を起動する起動手段と、
この起動手段によってスタイル対応機能が起動されてから所定時間内にその機能にとって有効な操作が行われたかを判別する判別手段と、
この判別手段によって有効な操作が行われたことが判別されない場合には、前記スタイル対応機能の動作を終了させる制御手段と、
を具備したことを特徴とする携帯端末装置。
【請求項２】
前記所定のスタイルと任意の機能との対応関係が記憶されている状態において、このスタイル下で前回意図的に起動した機能を当該スタイルに対応する新たな機能とするために当該対応関係を更新する、
ようにしたことを特徴とする請求項1記載の携帯端末装置。
【請求項３】
装置本体が他の装置に接続された場合あるいは前記所定のスタイルから他のスタイルに変更された場合に、前記制御手段は、有効操作以外の操作が行われたものとして、前記スタイル対応機能の一時的な動作をその途中で終了させる、
ようにしたことを特徴とする請求項1記載の携帯端末装置。
【請求項４】
主表示部を備えた表示部側筐体と操作部を備えた操作部側筐体とを開閉可能に連結すると共に回転可能に連結することによって両筐体を開いた状態に限らず、閉じた状態でも前記主表示部の内容を視認可能な携帯端末装置であって、
前記所定のスタイルは、両筐体を閉じた状態において前記主表示部の内容を視認可能なビュースタイルであり、このビュースタイルに対応付けられているスタイル対応機能は、カメラ機能、録音機能、ブラウザ機能、テレビ機能、ラジオ機能のうち、少なくても何れかの機能である、ことを特徴とする請求項1記載の携帯端末装置。
【請求項５】
装置本体の形態を複数のスタイルに変更可能な携帯端末装置であって、
装置本体が所定のスタイルに変更された場合に、そのスタイルに対応付けられているスタイル対応機能を起動する起動手段と、
この起動手段によってスタイル対応機能が起動されてから所定時間内にその機能にとって有効な操作が行われたかを判別する判別手段と、
この判別手段によって有効な操作が行われたことが判別されない場合には、前記スタイル対応機能の動作を終了させる制御手段と、
を具備したことを特徴とする携帯端末装置。
【発明の詳細な説明】
【技術分野】
【０００１】
この発明は、装置本体を構成する複数の筐体の位置関係に応じて装置本体の形態を複数のスタイルに変更可能な携帯端末装置及びプログラムに関する。
【背景技術】
【０００２】
近年、携帯端末（携帯電話）は、様々なデザインの機種が存在しているが、現在、最も普及している折畳型の携帯電話にあっては、操作部側筐体に対して表示部側筐体を開閉可能に取り付けることによって両筐体を閉じた状態と開いた状態の２つのスタイルに変更可能となっている。また、折畳・回転型（２軸回転型）の携帯電話にあっては、操作部側筐体に対して表示部側筐体を開閉可能に取り付けると共に回転可能に取り付けることによって４つのスタイルに変更可能となっている。
このように複数のスタイルに変更可能な携帯端末装置として、従来では、スタイルに応じて特定機能を実行するようにしたものが知られている（特許文献１参照）。
【特許文献１】特開２００１−１６９１６６号公報
【発明の開示】
【発明が解決しようとする課題】
【０００３】
しかしながら、上述した先行技術にあっては、スタイルに応じて自動実行される機能がユーザの意図に合わない場合、すなわち、別の意図をもってスタイルを変更した場合には、他のスタイルに変更したり、機能終了操作を行わない限り、この機能を終了させることができないため、ユーザに余計な操作を強いることになる。しかも、スタイルの変更によって特定機能が自動実行されていることに気付かなかったり、その機能を終了させるための操作を忘れてしまうと、無駄な電力が消費されてしまうことになる。
【０００４】
この発明の課題は、装置本体のスタイルが変更された場合に、そのスタイルに対応付けられている機能を自動起動するためにスタイルが変更されたのか否かに応じて当該機能を自動終了させるか継続実行させるかを制御できるようにする。
【課題を解決するための手段】
【０００５】
請求項１記載の発明は、装置本体を構成する複数の筐体の位置関係に応じて装置本体の形態を複数のスタイルに変更可能な携帯端末装置であって、装置本体が所定のスタイルに変更された場合に、そのスタイルに対応付けられているスタイル対応機能を起動する起動手段と、この起動手段によってスタイル対応機能が起動されてから所定時間内にその機能にとって有効な操作が行われたかを判別する判別手段と、この判別手段によって有効な操作が行われたことが判別されない場合には、前記スタイル対応機能の動作を終了させる制御手段とを具備したことを特徴とする。
なお、携帯端末装置は、装置本体の形態を複数のスタイルに変更可能なものであってもよい（請求項５記載の発明）。
【０００６】
なお、上述した請求項１記載の発明は次のようなものであってもよい。
前記所定のスタイルと任意の機能との対応関係が記憶されている状態において、このスタイル下で前回意図的に起動した機能を当該スタイルに対応する新たな機能とするために当該対応関係を更新する（請求項２記載の発明）。
【０００７】
装置本体が他の装置に接続された場合あるいは前記所定のスタイルから他のスタイルに変更された場合に、前記制御手段は、有効操作以外の操作が行われたものとして、前記スタイル対応機能の一時的な動作をその途中で終了させる（請求項３記載の発明）。
【０００８】
主表示部を備えた表示部側筐体と操作部を備えた操作部側筐体とを開閉可能に連結すると共に回転可能に連結することによって両筐体を開いた状態に限らず、閉じた状態でも前記主表示部の内容を視認可能な携帯端末装置であって、前記所定のスタイルは、両筐体を閉じた状態において前記主表示部の内容を視認可能なビュースタイルであり、このビュースタイルに対応付けられているスタイル対応機能は、カメラ機能、録音機能、ブラウザ機能、テレビ機能、ラジオ機能のうち、少なくても何れかの機能である（請求項４記載の発明）。
【発明の効果】
【０００９】
この発明は、スタイルが変更された場合に、このスタイル対応機能を自動起動するためにスタイルが変更されたのか否かに応じて当該機能を自動終了させるか継続実行させるかを制御することができる。この場合、スタイル対応機能の一時起動から所定時間経過するまでの間、無操作であれば、所定時間に達した際に当該機能を自動終了させることが可能となり、また、所定時間に達する前に有効操作以外の操作が行われたときには、特別な機能終了操作を行わなくても、その時点で当該機能を自動終了させることが可能となる。
【発明を実施するための最良の形態】
【００１０】
以下、図１〜図７を参照して本発明の実施例を説明する。
この実施例は、携帯端末装置として携帯電話装置に適用した場合を例示したもので、図１は、携帯電話装置の基本的な構成要素を示したブロック図である。
この携帯電話装置は、装置本体を構成する２つの筐体の位置関係に応じて装置本体の形態を４つのスタイルに変更可能な折畳・回転型（２軸回転型）の携帯電話装置であり、通話機能、メール機能、Ｗｅｂアクセス機能、ブラウザ機能などのほか、カメラ機能、テレビ機能、録音機能などを備えている。
【００１１】
ＣＰＵ１は、記憶部２内の各種のプログラムに応じてこの携帯電話装置の全体動作を制御する中核的な中央演算処理装置であり、このメインＣＰＵ１のほか、この携帯電話装置には、例えば、映像・音声データの受送信機能、受信映像の再生機能などの機能別に、複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図６及び図７に示す動作手順に応じて本実施例を実現するためのプログラムが格納されているほか、各種の機能に対応するアプリケーションが格納されている。また、記憶部２のデータ領域には、後述する機能別有効テーブル２１、ビュースタイル機能メモリ２２などが設けられている。
【００１２】
記録メディア３は、着脱自在な可搬型メモリで、画像データ、各種のデータ、プログラムを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成され、必要に応じてメモリ４内の各種のデータは、記憶部２にセーブされる。電話通信部５は、携帯電話通信機能を構成するもので、アンテナ５Ａに接続された送受信部（ベースバンド部）の受信側から信号を取り込んで受信ベースバンド信号に復調したのちに、音響制御部６を介して受話スピーカ７から音声出力させる。また、電話通信部５は、送話マイク８から入力された音声データを音響制御部６から取り込み、送信ベースバンド信号に符号化したのちに送受信部の送信側に与えられてアンテナ５Ａから発信出力させる。
【００１３】
一方、メール機能、テレビ機能、Ｗｅｂアクセス機能によって電話通信部５を介して受信取得した表示データは、表示制御部９を介してＬＣＤ（液晶表示装置）などを備えたメイン表示部１０に与えられて表示出力される。メイン表示部１０は、文字情報、テレビ映像データ、各種のメッセージなどを高品位に表示し、装置本体の背面側に設けられたサブ表示部１１は、現在日時、簡易なメッセージ、アイコンなどを表示する。キー操作部１２は、ダイヤル入力、文字入力、コマンド入力などを行うもので、カメラ機能用・録音機能用・ブラウザ用・テレビ機能用の各種キーとして、後述する機能選択キーＦＮＳ、第１キー群ＦＳＴ、第２キー群ＳＣＤ、第３キー群ＴＨＤを備えている。
【００１４】
テレビ放送受信チューナ１３は、携帯電話などの携帯受信機向けの地上波デジタルテレビ放送を受信するもので、テレビ映像及び音声情報以外にも電子番組表(ＥＰＧ)なども含めて受信可能となっている。このテレビ放送受信チューナ１３は、ＴＶアンテナに接続されている受信部と、受信したテレビ放送を映像信号、音声信号に分離する増幅分離部と、圧縮データを解凍するデコード部などを有する構成となっており、このテレビ受信チューナ１３から出力されたテレビ映像信号は、メイン表示部１０から表示出力され、また、テレビ音声信号は、内蔵スピーカ（高音圧スピーカ）１４から出力される。
【００１５】
録音部１５は、テレビ音声、通話相手の音声などを録音可能なもので、録音データを記憶部２あるいは記録メディア３に格納する。カメラ撮像部１６は、静止画撮影のほかに動画撮影も可能なもので、撮影レンズ、ミラー等のレンズ・ミラーブロック、撮像素子、その駆動系のほか、測距センサ、光量センサ、アナログ処理回路、信号処理回路、圧縮伸張回路等を備え、光学ズームを調整制御したり、オートフォーカス時の駆動制御、シャッター駆動制御、露出、ホワイトバランス等を制御する。
【００１６】
スタイル検出センサ１７、１８は、折畳・回転型の装置本体を構成する２つの筐体（表示部側筐体、操作部側筐体）の位置関係に応じて変化する各スタイルを検出可能なもので、スタイル検出センサ（開閉センサ）１７は、２つの筐体の開閉状態を検出する磁気センサあるいはマイクロスイッチなどであり、その開閉状態に応じた検出信号を出力してＣＰＵ１に与える。スタイル検出センサ（回転センサ）１８は、表示部側筐体の回転状態を検出する磁気センサあるいはマイクロスイッチなどであり、その回転の向きに応じた検出信号を出力してＣＰＵ１に与える。ＣＰＵ１は、スタイル検出センサ１７、１８からの各検出信号に基づいて装置本体の各スタイルを判別する。充電接続部１９は、装置本体が外部機器としてのクレードル（充電スタンド）２０に接続（載置）された際に、内蔵電池（図示せず）に対して充電電流を供給するもので、ＣＰＵ１は、充電接続部１９からの信号に基づいて装置本体がクレードル２０に接続されている状態か否かを監視するようにしている。
【００１７】
図２は、装置本体の各スタイルを示した図である。
装置本体は、装置本体を構成する２つの筐体１９、２０の位置関係に応じて装置本体の形態を複数のスタイルに変更可能となっている。すなわち、装置本体は、表示部側筐体２３と操作部側筐体２４とを開閉軸（横軸）を介して開閉可能に連結されていると共に、回転軸（縦軸）を介して回転可能に連結されており、装置本体を複数の（４種類）のスタイルに変更可能となっており、(Ａ)、（Ｄ）は、装置本体を閉じた状態を示し、(Ｂ)、（Ｃ）は、装置本体を開いた状態を示している。
【００１８】
すなわち、（Ａ）は、筐体２４のキー操作部１２に筐体２３のメイン表示部１０が重なり合うように閉じた状態（正転クローズスタイル）を示した図である。（Ｂ）は（Ａ）の状態から表示部側筐体２３を開いた状態（正転オープンスタイル）を示した図であり、（Ｃ）は、（Ｂ）の状態から表示部側筐体２３を１８０°回転させた状態（反転オープンスタイル）を示し、（Ｄ）は、（Ｃ）の状態から表示部側筐体２３を閉じたのち、表示画面が横長となるように横向きに変えた状態（横型ビュースタイル：反転クローズタイル）を示した図である。なお、この「ビュースタイル」は、表示画面を横長とする横型ビュースタイルに限らず、表示画面が縦長となるように縦向きに変えた状態（縦型ビュースタイル）をも含む。
【００１９】
図３は、装置本体が横型ビュースタイルにセットされている状態において、その各側面部などに配置されているサイドキー群などを示した図である。
装置本体の各側面部において、図中、左側の側面部には、カメラ機能、録音機能、ブラウザ機能、テレビ機能に対応して、その機能を選択して起動させる機能選択キーＦＮＳが配置され、また、上側の側面部には、第１キー群ＦＳＴが配置され、右側の側面部には第２キー群ＳＣＤが配置されている。また、表示部側筐体２１の表面側においてメイン表示部１０に隣り合う位置には、第３キー群ＴＨＤが配置されている。なお、第１キー群ＦＳＴは、３つのキーＡ１〜Ａ３を有し、第２キー群ＳＣＤは、４つのキーＢ１〜Ｂ４を有し、第３キー群ＴＨＤは、５つのキーＣ１〜Ｃ５を有する構成となっている。
【００２０】
図４は、機能別有効テーブル２１の内容を示した図である。
機能別有効テーブル２１は、各機能に対応してその機能にとって有効となるキーを定義するためのテーブルであり、「カメラ機能」に対応して、“キーＡ１、Ａ３、Ｂ１”が有効キーとして定義されており、例えば、キーＡ３は、シャッターボタン、キーＡ１は、ズーム／ワイドボタンとして機能する。また、「録音機能」に対応して、“Ａ３、Ａ２、Ｂ１、Ｂ２” が有効キーとして定義され、「ブラウザ機能」に対応して、“Ｃ１、Ｃ２、Ｃ３” が有効キーとして定義され、「テレビ機能」に対応して、“Ｃ１、Ｃ３、Ｃ５” が有効キーとして定義されている。
【００２１】
図５は、ビュースタイル機能メモリ２２の内容を示した図である。
ビュースタイル機能メモリ２２は、ビュースタイルに変更された際に自動起動される機能を定義するメモリで、この例では、テレビ機能（ＴＶ）がビュースタイル対応機能として記憶されている場合を示している。このビュースタイル対応機能は、動的に変更されるもので、ビュースタイル下で前回意図的に起動した機能がビュースタイル対応機能として更新記憶される。ＣＰＵ１は、ビュースタイルに変更された際に、ビュースタイル機能メモリ２２を参照してビュースタイル対応機能（例えば、テレビ機能）を一時起動させる（例えば、最長５秒間動作させる）。
【００２２】
そして、ビュースタイル対応機能を起動してから所定時間内（例えば、５秒以内）に何のキー操作も行われない無操作状態を検出した場合には、その一時起動の終了となるが、所定時間内（例えば、５秒以内）に何らかの操作が行われた場合、機能別有効テーブル２１を参照し、ビュースタイル対応機能を起動してから所定時間内（例えば、５秒以内）にその機能にとって有効なキー操作が行われたかを判別し、有効キーが操作された場合には、スタイル対応機能の一時的な動作から継続的な動作に変更し、この有効キー以外の操作が行われた場合には、スタイル対応機能の一時的な動作をその途中で終了させる。なお、有効キー以外の操作とは、キー操作が行われた場合のほか、他のスタイルに変更された場合、クレードル２０に接続された場合も含む。
【００２３】
次に、この実施例における携帯電話装置の動作概念を図６及び図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２４】
図６及び図７は、正転クローズスタイルの状態から正転オープンスタイルに変えて電源オンされた際に実行開始される携帯電話装置の全体動作を示したフローチャートである。
先ず、ＣＰＵ１は、待受起動状態となり、電話通信部５を作動させて公衆携帯電話網（移動体通信網）を構成する最寄りの基地局を介して位置登録応答を行うことによってその交換機側に自己（携帯電話）の現在位置を登録させる（ステップＳ１）。そして、所定の待受画像を読み出して表示出力させながら電話／メールを待ち受ける（ステップＳ２）。この状態において、ＣＰＵ１は、電話／メール着信有りを検出すると（ステップＳ３でＹＥＳ）、着信報知を行うと共に、通話処理あるいは受信メール着信処理を実行する(ステップＳ４)。
【００２５】
待受状態において機能選択キーＦＮＳが操作されて何れかの機能が選択された場合には（ステップＳ５でＹＥＳ）、選択機能対応のアプリケーションを起動させたのち（ステップＳ６）、図７のアプリケーション処理に移る。また、待受状態においてＣＰＵ１は、スタイル検出センサ１７、１８からの信号に基づいてスタイルが変更されたかをチェックし（ステップＳ７）、スタイル変更が変更された場合には、「ビュースタイル」への変更かをチェックし（ステップＳ８）、「ビュースタイル」以外への変更であれば、待受状態に戻るが（ステップＳ１）、「ビュースタイル」への変更であれば、ビュースタイル機能メモリ２２内に機能がセットされているかをチェックする（ステップＳ９）。
【００２６】
ここで、ビュースタイル対応機能がセットされていなければ（ステップＳ９でＮＯ）、待受状態に戻るが（ステップＳ１）、ビュースタイル対応機能がセットされていれば、この機能対応のアプリケーション（図５の例では、テレビ機能）を一時起動させると共に（ステップＳ１０）、この対応機能を一時起動中あることを示すためにメモリ４内に「一時フラグ（図示せず）」をセットする（ステップＳ１１）。このようにスタイル変更に応じてその対応機能を一時起動させたのち、図７のアプリケーション処理に移る。
【００２７】
このアプリケーション処理において、ＣＰＵ１は、「一時フラグ」のセット有無をチェックする（ステップＳ１２）。いま、機能選択キーＦＮＳの操作に応答して選択機能対応のアプリケーションを起動した場合には（図６のステップＳ５、６）、「一時フラグ」のセット無しが検出される（ステップＳ１２でＮＯ）。この場合、機能選択後に「ビュースタイル」に変更されたかをチェックし（ステップＳ１３）、「ビュースタイル」に変更されたときには、この選択機能を新たなビュースタイル対応機能とするために、ビュースタイル機能メモリ２２の内容を更新する（ステップＳ１４）。
【００２８】
そして、キー操作有無を検出し（ステップＳ１５）、アプリケーション終了以外のキー操作が行われた場合には（ステップＳ１６でＮＯ）、操作キーに対応する処理として、例えば、テレビ機能であれば、チャンネル切り替え、音量調整などの処理が行われる（ステップＳ１７）。また、アプリケーション処理中に「ビュースタイル」から他のスタイルに変更された場合（ステップＳ１８でＹＥＳ）あるいはアプリケーション終了操作が行われた場合には（ステップＳ１６でＹＥＳ）、この時点で当該アプリケーション処理を終了させたのち（ステップＳ１９）、待受状態に戻る（図６のステップＳ１）。
【００２９】
一方、スタイル変更に応じてビュースタイル対応機能のアプリケーションを起動した場合には（図６のステップＳ１０）、「一時フラグ」のセット有りが検出される（ステップＳ１２でＹＥＳ）。この場合、一時起動時間を計測するタイマ（例えば、５秒タイマ）の計測動作を開始させたのち（ステップＳ２０）、操作有無をチェックしながら（ステップＳ２１）、タイムアップか（例えば、５秒経過したか）をチェックする（ステップＳ２７）。ここで、タイムアップとなり、ビュースタイル対応機能を起動させてから所定時間（例えば、５秒）経過した際には、アプリケーション処理を終了させたのち（ステップＳ３０）、待受状態に戻る（図６のステップＳ１）。
【００３０】
タイムアップ前においてＣＰＵ１は、操作有無をチェックしながら（ステップＳ２１）、装置本体がクレードル２０に接続されたか（ステップＳ２８）、「ビュースタイル」から他のスタイルに変更されたかをチェックする（ステップＳ２９）。ここで、装置本体がクレードル２０に接続された場合（ステップＳ２８でＹＥＳ）あるいはスタイル変更が行われて「ビュースタイル」が解除された場合には（ステップＳ２９でＹＥＳ）、この時点でアプリケーション処理の一時起動を終了させる（ステップＳ３０）。すなわち、タイムアップ前であってもアプリケーション処理の一時起動をその途中で終了させる。
【００３１】
また、タイムアップ前において、何らかの操作が行われた場合には（ステップＳ２１でＮＯ）、ビュースタイル対応機能に基づいて機能別有効テーブル２１を検索し、操作キーは当該機能にとって有効なキーか否かを判別する（ステップＳ２２）。例えば、ビュースタイル対応機能がテレビ機能の場合には、第３キー群ＴＨＤのキーＣ１、Ｃ３、Ｃ５が有効キーとなるため、この何れかの有効キーが操作されると、ステップＳ１７に移り、操作キーに対応する処理が行われる。すなわち、タイムアップ前に機能有効キーが操作された場合には、それ以降も当該機能を継続動作させるために一時的な動作から継続的な通常動作に切り替えられる。
【００３２】
タイムアップ前に機能有効キー以外のキーが操作された場合には（ステップＳ２２でＮＯ）、機能選択キーＦＮＳが操作されたのかを調べ（ステップＳ２３）、その他のキーが操作された場合には（ステップＳ２３でＮＯ）、当該キーをノンファンクションキー（無効キー）とするためにステップＳ１９に移り、一時起動中のアプリケーション処理を終了させるが、機能選択キーＦＮＳが操作された場合には（ステップＳ２３でＹＥＳ）、一時起動中のアプリケーション処理を終了させると共に（ステップＳ２４）、上述の「一時フラグ」をリセットさせたのち（ステップＳ２５）、当該機能選択キーＦＮＳに対応するアプリケーションを起動させる（ステップＳ２６）。そして、上述のステップＳ１２に戻り、「一時フラグ」のセット有無を調べるが、この場合、「一時フラグ」はリセットされているので、以下、上述と同様の動作が行われる（ステップＳ１３〜１９）。
【００３３】
以上のように、この実施例においてＣＰＵ１は、装置本体が「ビュースタイル」に変更された際に、ビュースタイル機能メモリ２２を参照してビュースタイルに対応付けられている対応機能を特定して当該スタイル対応機能を一時起動させたのち、所定時間内にその機能にとって有効な操作が行われた場合には、このスタイル対応機能を使用する意思があるものとして一時的な動作から継続的な動作に変更するが、それ以外の操作が行われた場合には、スタイル対応機能を使用する意思がないものとして一時的な動作をその途中で終了するようにしたから、スタイルが変更された場合に、このスタイル対応機能を自動起動するためにスタイルが変更されたのか否かに応じて当該機能を自動終了させるか継続実行させるかを制御することができる。この場合、スタイル対応機能の一時起動から所定時間経過するまでの間、無操作であれば、所定時間に達した際に当該機能を自動終了させることができ、所定時間に達する前に有効操作以外の操作が行われたときには、特別な機能終了操作を行わなくても、その時点で当該機能を自動終了させることができる。
【００３４】
ビュースタイル下で前回意図的に起動した機能を当該スタイル対応の機能とするためにビュースタイル機能メモリ２２の内容を更新するようにしたから、ビュースタイル機能メモリ２２の内容は固定的ではなく、動的に変化させることができる。
また、装置本体がクレードル２０に接続された場合あるいはビュースタイルから他のスタイルに変更された場合には、有効操作以外の操作が行われたものとして、スタイル対応機能の一時的な動作をその途中で終了することができる。
【００３５】
なお、上述した実施例においては、スタイル変更に応じて機能を自動起動するスタイルとして、ビュースタイルの場合を例示したが、横型ビュースタイルと縦型ビュースタイルとを検出可能とすると共に、横型ビュースタイル、縦型ビュースタイル毎に対応する機能を自動起動するようにしてもよい。また、ビュースタイルに限らず、正転オープンスタイル、反転オープンスタイルであってもよく、更には、複数のスタイルに対応して自動起動の対象となる機能を任意に設定可能としてもよい。
【００３６】
上述した実施例においては、折畳・回転型の携帯電話装置に適用した場合を例示したが、２以上の筐体をスライド可能としたスライド式あるいは回転可能とした回転式の携帯電話装置であってもよい。
その他、携帯電話装置に限らず、例えば、複数のスタイルに変更可能なＰＤＡ・電子カメラ・電子腕時計・音楽再生機などの携帯端末装置であっても同様に適用可能である。
【図面の簡単な説明】
【００３７】
【図１】携帯端末装置として適用した携帯電話装置の基本的な構成要素を示したブロック図。
【図２】装置本体の各スタイルを示し、（Ａ）は、正転クローズスタイル、（Ｂ）は（Ａ）の状態から表示部側筐体２３を開いた状態（正転オープンスタイル）、（Ｃ）は、（Ｂ）の状態から表示部側筐体２３を１８０°回転させた状態（反転オープンスタイル）、（Ｄ）は、（Ｃ）の状態から表示部側筐体２３を閉じたのち、表示画面が横長となるように横向きに変えた状態（横型ビュースタイル）を示した図。
【図３】装置本体が横型ビュースタイルにセットされている状態において、その各側面部などに配置されているサイドキー群などを示した図。
【図４】機能別有効テーブル２１の内容を示した図。
【図５】ビュースタイル機能メモリ２２の内容を示した図。
【図６】正転クローズスタイルの状態から正転オープンスタイルに変えて電源オンされた際に実行開始される携帯電話装置の全体動作を示したフローチャート。
【図７】図６に続く、フローチャート。
【符号の説明】
【００３８】
１  ＣＰＵ
２  記憶部
５  電話通信部
１０  表示部
１２  キー操作部
１３  テレビ放送受信チューナ
１５  録音部
１６  カメラ撮像部
１７、１８  スタイル検出センサ
１９  充電接続部
２０  クレードル
２１  機能別有効テーブル
２２  ビュースタイル機能メモリ
２３  表示部側筐体
２４  操作部側筐体
ＦＮＳ  機能選択キー
ＦＳＴ  第１キー群
ＳＣＤ  第２キー群
ＴＨＤ  第３キー群
【図１】
0004778356.tif 000002
【図２】
0004778356.tif 000003
【図３】
0004778356.tif 000004
【図４】
0004778356.tif 000005
【図５】
0004778356.tif 000006
【図６】
0004778356.tif 000007
【図７】
0004778356.tif 000008